【事件の表示】
　特願２０１０−　６８９３５「吸収剤を含むバリヤー包装」拒絶査定不服審判事件〔平成２２年　８月　５日出願公開、特開２０１０−１６８１２１〕について、次のとおり審決する。
【結　論】
　本件審判の請求は、成り立たない。
【理　由】
１．手続の経緯・本願発明
　本願は、２０００年６月１５日（パリ条約による優先権主張外国庁受理１９９９年６月１５日、米国）を国際出願日とする特願２００１−５０３３５５号の一部を平成２２年３月２４日に新たな特許出願としたものであって、その請求項１乃至６に係る発明は、平成２４年５月１０日付けで補正された明細書、特許請求の範囲及び図面の記載からみて、特許請求の範囲の請求項１乃至６に記載された事項により特定されるとおりのものと認められるところ、請求項１の記載は以下のとおりである（以下、これによって特定される発明を「本願発明」という。）。
「基礎部分にヒートシールされて、製品を含有することができる密閉された単位のパッケージを形成する覆い部分を含むバリヤー包装であって、
　（ａ）前記覆い部分は少なくとも一つの空洞を含み、前記覆い部分は、前記空洞の内部を被覆している吸収剤材料を含み、前記吸収剤材料は、一体式組成物を形成するように、少なくとも下記の成分：吸収剤、水不溶性ポリマー及び親水性剤を組み合わせることにより形成され、前記組成物は少なくとも３相を含み、そして相互連絡チャネル中に又は相互連絡チャネルに隣接して吸収剤を有する前記相互連絡チャネルを有し、そして
　（ｂ）前記基礎部分は、前記空洞が前記基礎部分から外側に向かって延在しているような覆い部分との関係にある、
バリヤー包装。」
　
２．引用文献
　原査定の拒絶の理由に引用された国際公開第９８／３９２３１号（以下、「引用文献１」という。）には、以下の記載が認められる。
ａ；「DESICCANT ENTRAINED POLYMER
・・・ 
FIELD OF THE INVENTION: 
　This invention relates generally to the use of desiccant material in packaging；……The invention further relates to desiccant entrained polymers that include means by which desiccant located within interior portions of the polymer structure are exposed to moisture that is exterior to the polymer body. The desiccant entrained polymer of the present invention is particularly useful in the manufacture of containers and packaging for items requiring moisture reduced environments .」（１頁１〜２３行）
（訳；吸湿剤が導入されたポリマー 
 ・・・ 
本発明の技術分野：
　この発明は、一般に、包装技術における吸湿剤物質の利用に関する；……この発明は、更に、ポリマー組成物の内部に位置する吸湿剤が、ポリマー体の外の湿気にさらされるような手段を備えた吸湿剤が導入されたポリマーに関する。この発明の吸湿剤が導入されたポリマーは、湿気を低減した環境を要求する物品の容器あるいは包装の製造に特に有用である。）
ｂ；The desiccant and channeling agent may be added to the polymer when the polymer base is in a molten state prior to forming it into a container, or preferably even before the polymer is in the molten state, so that these additive agents may be blended and thoroughly mixed throughout the base polymer material .）（１２頁２４〜２９行）
（訳；吸湿剤とチャネリング剤は、ポリマーベースが容器に形成する前の溶融状態にあるとき、あるいは、好ましくはポリマーが溶融状態になる前にポリマーに添加され、これらの添加された剤は、ベースポリマー全体にブレンドされ完全に混合される。）
ｃ；「After thoroughly blending the several materials together and the mixing process is subsequently stopped, the channeling agent forms veins or channels that act as moisture communicating passages throughout the polymer. A polyglycol such as polyethylene glycol, ethylene-vinyl alcohol (EVOH) and polyvinyl alcohol (PVOH) are among those materials which have been found to be particularly suited as channeling agents. The use of a polyglycol such as polyethyleneglycol is most preferred. The polymer base and channeling agents do not separate out into distinct levels or phases, one above the other, but instead establish veined domains of channeling agent that extend across the polymer base thereby establishing channels or passages through the polymer.」 （１３頁７〜１９行）
（訳；その後、複数の材料を完全にブレンドし、混合する工程が停止した後、チャネリング剤は、ポリマー全体に亘って湿気を通過連絡する通路として作用する小路すなわちチャネルを形成する。ポリエチレングリコールのようなポリグリコール、エチレンービニルアルコール（ＥＶＯＨ）及びポリビニルアルコール（ＰＶＯＨ）がチャネリング剤として好適であることが見出された。ポリエチレングリコールのようなポリグリコールの使用が最も好適である。ポリマーベースとチャネリング剤は、際だったレベルで離間してはおらず、互いに重なり合って、ポリマーベース上にチャネリング剤の脈状の通路を作り、それによってチャンネルすなわちポリマーを貫通する通路が作られる。）
ｄ；「For this reason, during the separating process when the channels are formed throughout the polymer base, the desiccating agent will also migrate toward the channeling agent domains to which it is attracted. In this manner, the channeling agent is truly permitted to act as a bridge between moisture located exteriorly to the polymer structure and the desiccant that is located within the polymer.」（１６頁１１〜１８行）
（訳；この理由で、ポリマーベース全体にチャンネルが形成される分離過程中に、吸湿剤は、チャネリング剤の通路に引き寄せられ、それに向かって移動する。こうして、チャネリング剤は、ポリマー外周辺に位置する湿気とポリマー内に配置された吸湿剤との間を橋渡しする作用をすることが可能になる。
ｅ；「In general, the matrix base polymer material which can be used in making the structures of the present invention can be basically any thermoplastic material.Examples of suitable thermoplastic materials include polyolefins, polycarbonates, ・・・ polyacetal, or mixtures thereof.The polyolefins, specifically polypropylene and polyethylene, however, are most preferred for the present invention.」（２４頁３０行〜２５頁６行）
（訳；一般的に、本発明の構造を形作るのに用いられるマトリックスベースポリマー材料は、基本的には、熱可塑性物質である。好ましい熱可塑性物質の例としては、ポリオレフィン、ポリカーボネート、・・・ポリアセタール、又はそれらの混合物が挙げられるが、ポリオレフィン、特にポリプロピレンやポリエチレンが、本発明では最も好ましい。）
ｆ；「The channeling agent used in the present invention can be generally any hydrophilic material which is miscible, or can be made miscible, with the polymer base matrix upon melt mixing, and separates from the polymer matrix polymer to form the channeled structure of the present invention.In general, the preferred hydrophilic material is a polar compound having at least several hydroxy groups.The preferred material has been found to be polyglycols, such as polyethylene glycol.Such polyglycols, such as polyethylene glycol, are highly miscible with polyolefins at high temperatures, but separate and form a second phase upon cooling.In essence, the polyglycols form essentially one phase with the polymer, which insures an excellent distribution of the polyglycol throughout the polymer.When the polyglycol separates from the polymer, the result is a finely channeled, uniform structure.」（２５頁７〜２２行） 
（訳；本発明で用いられるチャネリング剤は、溶融混合される際に、マトリックスベースポリマー材料と混和性か、或いは混和性となるような親水性材料であって、本発明のチャンネル構造を形成するようにポリマーマトリクスから分離するものである。一般的に、好ましい親水性材料としては、少なくとも、いくつかの水酸基を有する極性化合物である。好ましい物質は、ポリエチレングリコールのようなポリグリコールである。ポリエチレングリコールのようなポリグリコールは、高温でポリオレフィンと高度に混和するが、冷却すると、分離して第２相を形成する。本質的に、ポリグリコールは、高分子化合物において1つの相を形成し、ポリマー全体にわたりポリグリコールが良好に分布することになる。ポリグリコールがポリマーから分離すると、その結果、精緻な、均一のチャネル構造となる。）
ｇ；「Referring to figure 1 of the accompanying drawings, an insert constructed from a desiccant entrained polymer 20 is illustrated.・・・The insert is in the form of a plug 55 that may be deposited into a container body 60 (figure 5) thereby establishing a desiccating container 61 (figure 5).」（２６頁３４行〜２７頁８行、並びにＦＩＧ．１、２、４及び５）
（訳；図１には、吸湿剤が導入されたポリマー２０から構成された挿入物が示されている。・・・挿入物は、小片５５として容器本体６０(図５)の中に載置され、そのことにより、乾燥容器６１(図５)が形作られる。）
ｈ；「Figures 7 and 8 illustrate concepts similar to those of figures 5 and 6, however the proportions of the plug 55 have been extended so that a liner 70 is formed which covers a greater portion of the interior surface 65 of the desiccating container 61. The liner 70 is not localized in the bottom portion of the container body 60, but has walls which extend upwardly and cover portions of the walls of the container 61. Like the plug 55, the liner 70 may be separately molded and subsequently combined with the container body 60 or it may be comolded therewith into the unified body illustrated in figure 8.」（３０頁２７行〜３１頁２行）並びにＦＩＧ７及び８
（訳；図７，８は、図５，６と同様の概念を図示しているが、小片５５が乾燥容器６１の内表面６５の大部分を覆うライナー７０が形成されるように延展されている。ライナー７０は、容器本体６０の底部部分に局限されず、上方に延びて容器６１の壁の部分を覆う壁を有する。小片５５と同様、ライナー７０も別に形成して後で容器本体６０と組み合わせることも、又は、図８に示された一体ボデイの形になるように一緒に成型することもできる。）
　
　引用文献１には、記載ａによれば、湿気を低減した環境を要求する物品の包装に有用な吸湿剤が導入されたポリマーに関する発明が記載されていると認められる。 
　また、記載ｂ〜ｆの記載によれば、上記吸湿剤が導入されたポリマーには、吸湿剤とともにチャネリング剤が添加され、それらはブレンドされ完全に混合されているので、一体式組成物を形成するようにされているということができる。
　そして、チャネリング剤は、親水性材料であって、ポリマーと溶融混合した後の冷却によって、ポリマーから分離して、ポリマー全体にチャンネルを形成するものであり、その際、吸湿剤が通路に引き寄せられること、チャンネル剤はチャンネル形成によってポリマー表面の湿気とポリマー内部の吸湿剤とを橋渡しすることができるものであることから、吸湿剤はチャンネル中あるいはチャンネルに隣接することは明らかである。
　さらに、好ましいポリマー材料として、水不溶性ポリマーであるポリオレフィンが示されており、また、チャンネル形成時に分離したチャネリング剤が第２の相を形成するので、吸湿剤を導入したポリマーは、少なくとも、ポリマー、吸湿剤及びチャネリング剤の３相を含むことも明らかである。
　また、記載ｇ及びｈによれば、上記吸湿剤が導入されたポリマーの包装への適用態様として、包装容器本体の内表面を覆うライナーの形を取ることも発明の実施例とされている。
　
　以上の検討を踏まえると、引用文献１には、以下の発明（以下、「引用発明」という。）が記載されていると認められる。 
「包装容器本体の内表面を覆うライナーの形の吸湿剤材料を含み、前記吸湿剤材料は、一体式組成物を形成するように、少なくとも、吸湿剤、水不溶性ポリマー、及びチャネリング剤を組み合わせることにより形成され、前記組成物は少なくとも３相を含み、チャンネル中に又はチャンネルに隣接して吸湿剤を有するチャンネルを有している湿気を低減した環境を要求する物品の包装。」
　
　また、原査定の拒絶の理由に引用された実願平４−４２７６４号（実開平５−９４１６７号）のＣＤ−ＲＯＭ（以下、「引用文献２」という。）には、以下の点が図面とともに記載されている。
ｉ；「成形容器本体１に、片面全面に熱接着剤層２を塗布してなるアルミ箔製蓋体３を該熱接着剤層２によって剥離可能に接着してなるＰＴＰ包装容器において、上記熱接着剤層２内に、該接着剤の樹脂比に対して５〜40重量％の吸湿剤４を添加、混入してなることを特徴とする包装容器。」（【請求項１】）
ｊ；「本考案は医薬品や医療品、食品（以下、内容物とする）の包装容器、特に、容器内を乾燥状態に保持し得る包装容器の改良に関するものである。」（段落番号【０００１】）
ｋ；「従来から、医薬品等の包装容器としてＰＴＰ包装によって形成されたものが広く採用されている。このＰＴＰ包装は、図３に示すように、ＰＶＣシートやＰＰシート等の合成樹脂シートによって容器本体11を成形し、この容器本体11内に医薬品等の内容物15を収容したのち、熱接着剤層12を塗布しているＰＴＰ用アルミ箔からなる蓋体13を接着することによって容器本体11内に内容物15を封入した構造となっている。又、容器本体11に防湿性が要求される場合には、上記ＰＶＣシートやＰＰシートでは防湿性が劣ることから、これらのシートに替えてＰＶＣ、ＰＰ、ＰＶＤＣ等の積層シートを用いて容器本体11を成形し、さらに高度の防湿性が求められる場合には、上記樹脂シートとアルミ箔との積層シートよりなるアルミ複合シートを採用して容器本体11を成形している。
　しかしながら、容器本体11や蓋体13に防湿性を備えさせても、容器本体11には吸湿機能はなく、ＰＴＰ包装時に容器本体11に蓋体13を熱シールした際に、内容物15と共に該容器本体11内に封入された空気中の水分によって、さらには、シール後においても外部から空気がシール層を浸透して容器内に浸入する空気中の水分によって内容物15の薬剤効果が低下したり、医療品検査時における検査誤差が生じたりするという問題点があった。本考案はこのような問題点を解消し得る包装容器の提供を目的とするものである。」（段落番号【０００２】〜【０００３】）
　以上の記載から、引用文献２には、図３に示すような内容物を収容する空洞を有するように形成された容器本体と該容器本体に熱接着して容器本体内に内容物を封入するシート状の蓋とからなるＰＴＰ包装が記載され、そのようなＰＴＰ包装において容器本体に吸湿機能がないと問題を生じることがあること等が示されている。
　
　さらに、原査定の拒絶の理由に引用された実公昭４２−２７０３号公報（以下、「引用文献３」という。）には、以下の点が図面とともに記載されている。
ｌ；「数個の容入筒２を形成した酢酸ビニール又はポリエチレン、スチレンペーパーその他の合成樹脂製容器１と、この容器１に嵌合する浅い容入筒４を形成しその底部に無数の小孔５を穿ちメッシュ状とした容器１と同材料を以つて肉薄に形成した容器３とを作り、容器１の容入筒２内に珪酸ゲル又はアドゾール等の吸湿剤６を容れ、その上に容器３の容入筒４を嵌合し、この容入筒４内に錠剤又はカプセル等７を容入した後上部にポリエチレン、アルミ箔、セロハン等を一体とした所謂アルミホイル８を重ね、之等を一体に溶着密閉に当り容入筒４の口周肩部に円形のＶ字型凹溝９を施して成る酢酸ビニール等の容器内に薬剤と防湿剤とを容入密閉包装した容器。」（実用新案登録請求の範囲）
ｍ；「本考案は服用に当り容入筒２の下部を上方に押圧すると内部に容入した吸湿剤６を介して錠剤７を上部に押し上げこの錠剤で上部に形成されている円形のＶ字型凹溝９が破れ易く形成されて居るのでこの部から第２図鎖線に示すように破れるを以つて容易に取出して服用するものである。そして錠剤の下部に吸湿剤６が容入してあるから錠剤容入筒４内に生ずる湿気はその底部に穿った無数の小孔５から吸収剤が吸収するので薬剤に湿気を生ぜず変質、腐敗、かび等を防ぎ従って長期の保存にも耐え得るものである。」（１頁左欄３２行〜同頁右欄５行）
　以上の記載から、引用文献３には、（二重の）容入筒とその上部に溶着されるアルミホイルとから成る密閉包装容器に薬剤と共に吸収剤を容入してなる包装が記載されている。
　
３．対比
　本願発明と引用発明とを対比する。
　引用発明の「吸湿剤」及び容器本体の内面を覆うライナーの形の「吸湿剤材料」は、本願発明の「吸収剤」及び「吸収剤材料」に相当し、引用発明の「チャンネル」は、ポリマー表面の湿気とポリマー内部の吸湿剤とを橋渡しするので本願発明の「相互連絡チャネル」に相当する。
　そして、本願発明の覆い部分に含まれる「空洞」及び引用発明の「容器本体」は、何れも物品の「収容部」である点で共通しており、引用発明の容器本体の「内表面を覆うライナー」は、「内部を被覆している」ということができる。
　してみれば、両者の一致点及び相違点は、以下のとおりである。
［一致点］
「物品の収容部の内部を被覆している吸収剤材料を含み、前記吸収剤材料は、一体式組成物を形成するように、少なくとも下記の成分：吸収剤、水不溶性ポリマー及び親水性剤を組み合わせることにより形成され、前記組成物は少なくとも３相を含み、そして相互連絡チャネル中に又は相互連絡チャネルに隣接して吸収剤を有する前記相互連絡チャネルを有している包装。」
［相違点］
　本願発明の包装が、「基礎部分にヒートシールされて、製品を含有することができる密閉された単位のパッケージを形成する覆い部分を含むバリヤー包装であって、前記基礎部分は、前記空洞が前記基礎部分から外側に向かって延在しているような覆い部分との関係にある、バリヤー包装」とされるのに対し、引用発明の包装は、「湿気を低減した環境を要求する物品の包装」とはされるが、その具体的な構成は特定されていない点。
　
４．判断
　そこで、上記相違点について検討する。
　「基礎部分にヒートシールされて、製品を含有することができる密閉された単位のパッケージを形成する覆い部分を含むバリヤー包装であって、前記基礎部分は、前記空洞が前記基礎部分から外側に向かって延在しているような覆い部分との関係にある、バリヤー包装」は、引用文献２及び３に記載されているようにこの出願の優先権主張日前周知である。
　すなわち、引用文献２に記載された「蓋体」及び「容器本体」並びに引用文献３に記載された「アルミホイル」及び「容入筒」が、それぞれ本願発明でいう「基礎部分」及び「基礎部分から外側に向かって延在するような覆い部分との関係にある空洞」に相当し、引用文献２及び３に記載された容器は何れも防湿性を目的とする本願発明でいう「バリア包装」のための容器であり、物品の収容部と蓋体との結合は、「熱接着」及び「溶着」であり、何れも本願発明でいう「ヒートシール」に相当する。
　そして、引用文献２には、容器本体に吸湿機能を持たせる必要性が記載され、引用文献３には、容器内に防湿剤を容入することが記載され、また、引用発明が、引用文献２及び３に記載された容器による包装と同様の、湿気を低減した環境を要求する物品の包装であることから、引用発明の物品の包装において、引用文献２，３に記載されたようなこの出願の優先権主張日前周知のバリヤー包装の構成を採用し、上記相違点の本願発明のようなすことは、当業者が容易に想到しうるものである。
　したがって、本願発明は、引用発明及び周知の技術に基づいて当業者が容易に発明をすることができたものである。
　
　なお、引用文献１は、本願明細書の段落【０００１】に本願が一部継続出願としている原出願である１９９７年３月５日出願の米国特許出願第０８／８１２，３１５号を基礎出願とする国際出願の国際公開であるが、本願の優先日前に国際公開されているものであるから、特許法第２９条第１項第３号に規定する刊行物に当たる。
　そして、請求人は、審判請求書において「バリヤー包装の空洞の内部を被覆している吸収剤材料は、微細毛細管の形態を有することができますので、本願発明は、二次元又は三次元構造において引用文献１〜４に記載の発明と明確に異なる」と主張しているが、本願発明の「相互連絡チャネル」と引用文献１に記載された「チャネル」とは、構造上に差があるものではない。
　
５．むすび
　以上のとおり、本願発明は、特許法第２９条第２項の規定により特許を受けることができないものであるので、他の請求項について検討するまでもなく本願は拒絶すべきものである。
　よって、原査定は妥当であり、結論のとおり審決する。